【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】
計算機式断層写真法（ＣＴ）イメージング・システムを用いて心臓画像を再構成する方法であって、
患者を走査するための螺旋走査ピッチを選択する工程と、
複数の検出器行及び回転式ガントリを有する計算機式断層写真法イメージング・システムで、前記複数の検出器行から投影データを取得するために前記患者の心臓を含めて前記患者を走査する工程と、
撮像のための心搏周期の時相を選択する工程と、
当該結合される各部分が前記選択された心搏時相に対応するように、複数の検出器行からの前記取得された投影データの各部分を結合する工程と、
前記結合されて補間された投影データから前記患者の心臓の画像を含めた画像を再構成する工程とを備え、
前記画像を再構成する工程は、心臓螺旋ハーフスキャン再構成（ＣＨ）を実行する工程を含んでおり、
前記螺旋走査ピッチを選択する工程は、
【数１】
2004509692.tif 000001
を上回らない最大値と、一回の保息で前記患者の全心臓領域を走査するのに必要なピッチを下回らない最小値とを有する螺旋走査ピッチｐｉｔｃｈを選択する工程を含んでおり、式中、ｎｓｓは検出器行の総数であり、ｂｐｍは分当たりの拍単位での前記患者の心拍数であり、ｇｓｐは回転当たりの秒単位でのガントリ速度である方法。
【請求項２】
計算機式断層写真法（ＣＴ）イメージング・システムを用いて心臓画像を再構成する方法であって、
患者を走査するための螺旋走査ピッチを選択する工程と、
複数の検出器行及び回転式ガントリを有する計算機式断層写真法イメージング・システムで、前記複数の検出器行から投影データを取得するために前記患者の心臓を含めて前記患者を走査する工程と、
撮像のための心搏周期の時相を選択する工程と、
当該結合される各部分が前記選択された心搏時相に対応するように、複数の検出器行からの前記取得された投影データの各部分を結合する工程と、
前記結合されて補間された投影データから前記患者の心臓の画像を含めた画像を再構成する工程とを備え、
前記画像を再構成する工程は、心臓螺旋ハーフスキャン再構成（ＣＨ）を実行する工程を含んでおり、
前記螺旋走査ピッチを選択する工程は、
【数２】
2004509692.tif 000002
を上回らない最大値と、一回の保息で前記患者の全心臓領域を走査するのに必要なピッチを下回らない最小値とを有する螺旋走査ピッチｐｉｔｃｈを選択する工程を含んでおり、式中、ｎｓｓは検出器行の総数であり、ｂｐｍは分当たりの拍単位での前記患者の心拍数であり、ｇｓｐは回転当たりの秒単位でのガントリ速度である方法。
【請求項３】
計算機式断層写真法（ＣＴ）イメージング・システムを用いて心臓画像を再構成する方法であって、
患者を走査するための螺旋走査ピッチを選択する工程と、
複数の検出器行及び回転式ガントリを有する計算機式断層写真法イメージング・システムで、前記複数の検出器行から投影データを取得するために前記患者の心臓を含めて前記患者を走査する工程と、
撮像のための心搏周期の時相を選択する工程と、
当該結合される各部分が前記選択された心搏時相に対応するように、複数の検出器行からの前記取得された投影データの各部分を結合する工程と、
前記結合されて補間された投影データから前記患者の心臓の画像を含めた画像を再構成する工程とを備え、
前記画像を再構成する工程は、心臓螺旋ハーフスキャン再構成（ＣＨ）を実行する工程を含んでいる請求項１に記載の方法。
当該方法は、画像離隔パラメータｓを選択する工程をさらに含んでおり、
さらに、前記螺旋走査ピッチを選択する工程は、
【数３】
2004509692.tif 000003
を上回らない最大値と、一回の保息で前記患者の全心臓領域を走査するのに必要なピッチを下回らない最小値とを有する螺旋走査ピッチｐｉｔｃｈを選択する工程を含んでおり、式中、ｎｓｓは検出器行の総数であり、ｂｐｍは分当たりの拍単位での前記患者の心拍数であり、ｇｓｐは回転当たりの秒単位でのガントリ速度である方法。
【請求項４】
計算機式断層写真法（ＣＴ）イメージング・システムを用いて心臓画像を再構成する方法であって、
患者を走査するための螺旋走査ピッチを選択する工程と、
複数の検出器行及び回転式ガントリを有する計算機式断層写真法イメージング・システムで、前記複数の検出器行から投影データを取得するために前記患者の心臓を含めて前記患者を走査する工程と、
撮像のための心搏周期の時相を選択する工程と、
当該結合される各部分が前記選択された心搏時相に対応するように、複数の検出器行からの前記取得された投影データの各部分を結合する工程と、
前記結合されて補間された投影データから前記患者の心臓の画像を含めた画像を再構成する工程とを備え、
前記画像を再構成する工程は、心臓螺旋ハーフスキャン再構成（ＣＨ）を実行する工程を含んでいる請求項１に記載の方法。
当該方法は、画像離隔パラメータｓを選択する工程をさらに含んでおり、
前記螺旋走査ピッチを選択する工程は、
【数４】
2004509692.tif 000004
を上回らない最大値と、一回の保息で前記患者の全心臓領域を走査するのに必要なピッチを下回らない最小値とを有する螺旋走査ピッチｐｉｔｃｈを選択する工程を含んでおり、式中、ｎｓｓは検出器行の総数であり、ｂｐｍは分当たりの拍単位での前記患者の心拍数であり、ｇｓｐは回転当たりの秒単位でのガントリ速度であり、
前記結合する工程は、二回の連続する心搏周期の対応する時相の間に取得される投影データを結合する工程を含んでいる方法。
【請求項５】
複数の検出器行及び回転式ガントリを備えており、心臓画像を再構成する計算機式断層写真法イメージング・システムであって、
選択された螺旋走査ピッチで患者を走査し、
前記複数の検出器行から前記患者の心臓を含めて前記患者の投影データを取得し、
前記取得された投影データと、前記患者の心臓の心搏周期とを相関させ、
当該結合される各部分が選択された心搏時相に対応するように、前記複数の検出器行からの前記取得された投影データの各部分を結合して、
前記結合されて補間された投影データから前記患者の心臓の画像を含めた画像を再構成し、
前記画像を再構成するために、心臓螺旋ハーフスキャン再構成（ＣＨ）を実行するように構成されており、
【数５】
2004509692.tif 000005
を上回らない最大値と、一回の保息で前記患者の全心臓領域を走査するのに必要なピッチを下回らない最小値とを有する選択された螺旋走査ピッチｐｉｔｃｈで走査するように構成されており、式中、ｎｓｓは検出器行の総数であり、ｂｐｍは分当たりの拍単位での前記患者の心拍数であり、ｇｓｐは回転当たりの秒単位でのガントリ速度であるイメージング・システム。
【請求項６】
複数の検出器行及び回転式ガントリを備えており、心臓画像を再構成する計算機式断層写真法イメージング・システムであって、
選択された螺旋走査ピッチで患者を走査し、
前記複数の検出器行から前記患者の心臓を含めて前記患者の投影データを取得し、
前記取得された投影データと、前記患者の心臓の心搏周期とを相関させ、
当該結合される各部分が選択された心搏時相に対応するように、前記複数の検出器行からの前記取得された投影データの各部分を結合して、
前記結合されて補間された投影データから前記患者の心臓の画像を含めた画像を再構成し、
前記画像を再構成するために、心臓螺旋ハーフスキャン再構成（ＣＨ）を実行するように構成されており、
【数６】
2004509692.tif 000006
を上回らない最大値と、一回の保息で前記患者の全心臓領域を走査するのに必要なピッチを下回らない最小値とを有する選択された螺旋走査ピッチｐｉｔｃｈで走査するように構成されており、式中、ｎｓｓは検出器行の総数であり、ｂｐｍは分当たりの拍単位での前記患者の心拍数であり、ｇｓｐは回転当たりの秒単位でのガントリ速度であるイメージング・システム。
【請求項７】
複数の検出器行及び回転式ガントリを備えており、心臓画像を再構成する計算機式断層写真法イメージング・システムであって、
選択された螺旋走査ピッチで患者を走査し、
前記複数の検出器行から前記患者の心臓を含めて前記患者の投影データを取得し、
前記取得された投影データと、前記患者の心臓の心搏周期とを相関させ、
当該結合される各部分が選択された心搏時相に対応するように、前記複数の検出器行からの前記取得された投影データの各部分を結合して、
前記結合されて補間された投影データから前記患者の心臓の画像を含めた画像を再構成し、
前記画像を再構成するために、心臓螺旋ハーフスキャン再構成（ＣＨ）を実行するように構成されており、
当該計算機式断層写真法システムは、画像離隔パラメータｓに従って選択された螺旋走査ピッチで走査するようにさらに構成されており、該螺旋走査ピッチｐｉｔｃｈは、
【数７】
2004509692.tif 000007
を上回らない最大値と、一回の保息で前記患者の全心臓領域を走査するのに必要なピッチを下回らない最小値とを有しており、式中、ｎｓｓは検出器行の総数であり、ｂｐｍは分当たりの拍単位での前記患者の心拍数であり、ｇｓｐは回転当たりの秒単位でのガントリ速度であるイメージング・システム。
【請求項８】
複数の検出器行及び回転式ガントリを備えており、心臓画像を再構成する計算機式断層写真法イメージング・システムであって、
選択された螺旋走査ピッチで患者を走査し、
前記複数の検出器行から前記患者の心臓を含めて前記患者の投影データを取得し、
前記取得された投影データと、前記患者の心臓の心搏周期とを相関させ、
当該結合される各部分が選択された心搏時相に対応するように、前記複数の検出器行からの前記取得された投影データの各部分を結合して、
前記結合されて補間された投影データから前記患者の心臓の画像を含めた画像を再構成し、
前記画像を再構成するために、心臓螺旋ハーフスキャン再構成（ＣＨ）を実行するように構成されており、
【数８】
2004509692.tif 000008
を上回らない最大値と、一回の保息で前記患者の全心臓領域を走査するのに必要なピッチを下回らない最小値とを有する螺旋走査ピッチｐｉｔｃｈで走査するように構成されており、式中、ｎｓｓは検出器行の総数であり、ｂｐｍは分当たりの拍単位での前記患者の心拍数であり、ｇｓｐは回転当たりの秒単位でのガントリ速度であり、
二回の連続する心搏周期の対応する時相の間に取得される投影データを結合するように構成されているイメージング・システム。
【請求項９】
前記結合を補間及び補外の両方を用いて実行するように構成されている請求項５乃至８のいずれかに記載のイメージング・システム。
【請求項１０】
当該イメージング・システムはｚ軸を有しており、前記ピッチ及び心搏時相の選択は補間のための一連の再構成ボックスを画定しており、各々の再構成ボックスについて離隔したｚ軸位置において複数の画像を結合して再構成すると共に、前記結合を補間及び補外の両方を用いて実行するように構成されている請求項５乃至８のいずれかに記載のイメージング・システム。